(57)【要約】【課題】加熱手段による昇温と、浴槽水の循環による昇温を使い分けることにより、効果的な即湯タンクの保温性能確保を目的としたものである。【解決手段】風呂循環回路を有する給湯機６と、この給湯機６の出湯側下流の給湯配管１０に設けた即湯タンク１２と、前記給湯機６と即湯タンク１２の間の給湯配管１０に設けた加熱手段１１と、前記即湯タンク１２内に設けた熱交換器１９と、前記即湯タンク１２より湯水を分配する給湯ヘッダー１３とで構成し、前記給湯機６より供給される湯水を即湯タンク１２を介して給湯ヘッダー１３より出湯するとともに、前記熱交換器１９を介して浴槽水の循環による昇温あるいは加熱手段による昇温のどちらかで即湯タンク１２内の湯水を加熱するようにしたものである。【選択図】  図１
2005009745.tif 000002
【特許請求の範囲】
【請求項１】
風呂循環回路を有する給湯機と、この給湯器の出湯側下流の給湯配管に設けた即湯タンクと、前記給湯機と即湯タンクの間の給湯配管に設けた加熱手段と、前記即湯タンク内に設けた熱交換器と、前記即湯タンクより湯水を分配する給湯ヘッダーとで構成し、前記給湯機より供給される湯水を即湯タンクを介して給湯ヘッダーより出湯するとともに、前記熱交換器を介して浴槽水の循環による昇温あるいは加熱手段による昇温のどちらかで即湯タンク内の湯水を加熱するようにした即時給湯装置。
【請求項２】
即湯タンクの熱交換器を循環する経路として、給湯機、加熱手段、即湯タンクを循環する第１の流路と、給湯機、加熱手段、即湯タンク、浴槽を循環する第２の流路を有する請求項１記載の即時給湯装置。
【請求項３】
第１の流路と第２の流路を、第１の三方弁および第２の三方弁で構成した請求項２記載の即時給湯装置。
【請求項４】
即湯タンク内の湯水の温度を検知する温度検出器と、前記即湯タンクの近傍に設けられ、前記温度検出器の信号に応じて前記浴槽水の循環量を制御する流量制御弁と、前記流量制御弁の動作を制御する流量制御部とを有した請求項１または２記載の即時給湯装置。
【発明の詳細な説明】
【０００１】
【発明の属する技術分野】
本発明は給湯配管に接続された水栓等より出湯される湯の温度が、配管の放熱等で低下した場合でも、出湯の温度低下を抑えた即時給湯装置に関するものである。
【０００２】
【従来の技術】
従来この種の即時給湯装置は、給湯器と給湯端末を接続する給湯配管の給湯端末の近傍に、加熱手段を有する即湯タンクを設け、前記加熱手段により適温に制御することで、給湯端末で使用時に即時に湯が出るようにしたものがある（例えば、特許文献１参照）。
【０００３】
また、図５に示すように、給湯機等の加熱装置より出湯される湯水を送る給湯配管１の下流に設けられた、即湯タンク２に、風呂熱源部３により保温された浴槽水を供給するものがあった。４はこの即湯タンク２より湯水を分配する給湯ヘッダーである。
【０００４】
【特許文献１】
特開２０００−３９２１４号公報
【０００５】
【発明が解決しようとする課題】
しかしながら上記特許文献１のものは、常に加熱手段で即湯タンク内の湯温を適温に保つ必要があり、加熱手段で使用する電気代が高くつくという問題があり、図５の構成においては、浴槽水のみの循環により、加熱するものであるため、加熱の能力に制限があり、また浴槽水が保温時にのみ可能である等に、限られたものであった。
【０００６】
本発明は上記課題を解決するもので、加熱手段による昇温と、浴槽水の循環による昇温を使い分けることにより、効果的な即湯タンクの保温性能確保を目的としたものである。
【０００７】
【発明を解決するための手段】
上記目的を達成するため本発明の即時給湯装置は、風呂循環回路を有する給湯機と、この給湯器の出湯側下流の給湯配管に設けた即湯タンクと、前記給湯機と即湯タンクの間の給湯配管に設けた加熱手段と、前記即湯タンク内に設けた熱交換器と、前記即湯タンクより湯水を分配する給湯ヘッダーとで構成し、前記給湯機より供給される湯水を即湯タンクを介して給湯ヘッダーより出湯するとともに、前記熱交換器を介して浴槽水の循環による昇温あるいは加熱手段による昇温のどちらかで即湯タンク内の湯水を加熱するようにしたものである。
【０００８】
上記発明によれば、給湯機の風呂熱源部により保温された浴槽水によって即湯タンク内の湯水を加熱することができるため、加熱手段が不要で電気代がいらない。また、多量の湯水を同時に使用する場合は、加熱ヒーターが動作して対応できるようにしており、使用状況に即した湯水供給方法が選択できる。さらに、浴槽水の追い焚き動作以外の状況でも、加熱ヒーターを有しているので、この加熱ヒータで昇温した湯水を循環させることで、常に即時出湯が可能となる。
【０００９】
【発明の実施の形態】
請求項１記載の発明は、風呂循環回路を有する給湯機と、この給湯器の出湯側下流の給湯配管に設けた即湯タンクと、前記給湯機と即湯タンクの間の給湯配管に設けた加熱手段と、前記即湯タンク内に設けた熱交換器と、前記即湯タンクより湯水を分配する給湯ヘッダーとで構成し、前記給湯機より供給される湯水を即湯タンクを介して給湯ヘッダーより出湯するとともに、前記熱交換器を介して浴槽水の循環による昇温あるいは加熱手段による昇温のどちらかで即湯タンク内の湯水を加熱するようにしたことを特徴とするもので、給湯機の風呂熱源部により保温された浴槽水によって即湯タンク内の湯水を加熱することができるため、加熱手段が不要で電気代がいらない。また、多量の湯水を同時に使用する場合は、加熱ヒーターが動作して対応できるようにしており、使用状況に即した湯水供給方法が選択できる。さらに、浴槽水の追い焚き動作以外の状況でも、加熱ヒーターを有しているので、この加熱ヒータで昇温した湯水を循環させることで、常に即時出湯が可能となる。
【００１０】
請求項２記載の発明は、即湯タンクの熱交換器を循環する経路として、給湯機、加熱手段、即湯タンクを循環する第１の流路と、給湯機、加熱手段、即湯タンク、浴槽を循環する第２の流路を有することを特徴とするもので、風呂追い焚き運転が行われる場合は第２の流路を循環する浴槽水で即湯タンク内の湯水を適温に加熱し、浴槽水が非保温時あるいは、浴槽に残水がない場合は、給水口から供給される水を加熱手段により加熱して即湯タンクを循環するようにしたものであり、使い勝手に応じて即湯タンク内の湯水を適温に維持することができる。
【００１１】
請求項３記載の発明は，浴槽水の保温状態および残水状態に応じて第１の流路と第２の流路を、第１の三方弁および第２の三方弁で切り替えるようにしたものであり、簡単な構成で切り替えることができ、使い勝手に応じて即湯タンクの加熱方法を選択できる。
【００１２】
請求項４記載の発明は、即湯タンク部内の湯水の温度を検知する温度検出器と、前記即湯タンクの近傍に設けられ、前記温度検出器の信号に応じて前記浴槽水の循環量を制御する流量制御弁と、前記流量制御弁の動作を制御する流量制御部とを有したものであり、即湯タンク内の湯水の温度変化に応じて適正な流量で循環できるものである。
【００１３】
【実施例】
以下、本発明の実施例について図面を用いて説明する。
【００１４】
（実施例１）
図１は、本発明の即時給湯装置の実施例１を示す全体構成図である。６は風呂循環回路付給湯機であり、図示していないが給湯熱源部７と風呂熱源部８とを有している。９は水を給湯風呂装置６に供給する給水管、１０は出湯側の給湯配管、１１は加熱ヒーターで構成した加熱手段、１２は即湯タンク、１３は湯水を分配する給湯ヘッダー、１４は給湯端末に出湯する給湯管である。１５は風呂熱源部８から即湯タンク１２への循環水を通す循環往き回路、１６は即湯タンク１２から浴槽１７への循環戻り回路、１８は風呂戻り回路、１９は即湯タンク１２内の湯水を加熱する熱交換部であり、パイプの中を湯が通過しながらタンク内の湯水に熱を伝えていく構成である。
【００１５】
以上のように構成された即時給湯装置について、以下その動作、作用を説明する。図において風呂釜付給湯装置６の給湯熱源部７によって加熱され、給湯配管１０を通って即湯タンク１２に入った湯水は給湯ヘッダー１３で分配され、給湯管１４により水栓等に送られる。一方、即湯タンク１２は保温時の浴槽水の循環回路になっているため、浴槽水の温度低下にともない、追い焚きにより浴槽水とともに即湯タンク１２にも高温の湯が充満される。出湯量が多い場合にはさらに加熱ヒーター１１に通電され、この結果、給湯管１４からの出湯温度が確保される。
【００１６】
（実施例２）
図２は本発明の実施例２の即時給湯装置である。実施例１との相違点を説明する。図において２０はバイパス回路であり、加熱ヒーター１１、即湯タンク１２を循環する第１の流路と、加熱ヒーター１１、即湯タンク１２、浴槽１７を循環する第２の流路を形成したものである。
【００１７】
以上のように構成された即時給湯装置について浴槽水が非保温時あるいは、浴槽１７に残水がない場合第２の流路において加熱ヒーター１１により加熱して即湯タンク１２を循環するようにしたものである。その他の構成は実施例１と同様である。
【００１８】
（実施例３）
図３は本発明の実施例３の即時給湯装置であり、第１の流路と第２の流路を、第１の三方弁２１および第２の三方弁２２で構成したものである。その他の構成は実施例２と同様である。
【００１９】
上記構成により、簡単な構成にして第１の流路と第２の流路を形成すうことができるものである。
【００２０】
（実施例４）
図４は本発明の実施例４の即時給湯装置である。実施例１との相違点を説明する。図において、前記即湯タンク１２に循環する循環水の往き温度と戻り温度とを検知する温度検出器２３、２４を、それぞれ循環往き回路１４と循環戻り回路１５に設け、循環水の温度変化より、流量制御弁２５で循環流量を制御するものである。したがって、浴槽の温度低下にかかわらず循環運転がされることもある。その他の構成は実施例１と同様である。
【００２１】
上記構成により、即湯タンク１２の温度を正確に維持することができる。
【００２２】
【発明の効果】
以上のように本発明によれば、給湯配管の経路で湯水の温度が低下した場合でも、風呂熱源部により保温されたの浴槽水の循環および加熱ヒーターにより加熱され、温度が上昇した状態で給湯ヘッダーから各水栓等に分岐されて出湯する。また、浴槽水が非保温時あるいは、浴槽に残水がない場合等においても給水口から供給される水を加熱ヒーターにより加熱して即湯タンクを循環するようにしたものである。また、即湯タンク内の湯水を温度検出器により検出することにより即湯タンク内はほぼ一定の温水で保たれるため、良好な即湯性能が得られる。また、この温度に応じて循環流量を制御するように構成されているため、極めて効率的である。
【図面の簡単な説明】
【図１】本発明の実施例１における即時給湯装置を示す図
【図２】本発明の実施例２における即時給湯装置を示す図
【図３】本発明の実施例３における即時給湯装置を示す図
【図４】本発明の実施例４における即時給湯装置を示す図
【図５】従来の即時給湯装置を示す図
【符号の説明】
８  風呂熱源部
１０  給湯配管
１１  加熱ヒーター
１２  即湯タンク
２０  バイパス回路
２１  第１の三方弁
２２  第２の三方弁
２３、２４  温度検出器
２５  流量制御弁
【図１】
2005009745.tif 000003
【図２】
2005009745.tif 000004
【図３】
2005009745.tif 000005
【図４】
2005009745.tif 000006
【図５】
2005009745.tif 000007